(57)【要約】【課題】静電霧化装置で発生させた帯電微粒子水を洗浄槽内により十分に行き渡らせることができる食器洗い機を提供する。【解決手段】食器洗い機は、被洗浄物を収納する洗浄槽と、被洗浄物を洗浄する洗浄ノズルと、外気を取り込む吸気口と洗浄槽とを連通し、外気をそのまま又は加熱して洗浄槽に供給する主風路と、帯電微粒子水又は／及びイオンを発生させるイオン発生部と、イオン発生部によって発生する帯電微粒子水又は／及びイオンを主風路に供給するバイパス風路と、を備え、イオン発生部とイオン発生部に電圧を印加する基板部とは離間して設けられている。【選択図】図３
2020058461.tif 000002
【特許請求の範囲】
【請求項１】
被洗浄物を収納する洗浄槽と、
前記被洗浄物を洗浄する洗浄ノズルと、
外気を取り込む吸気口と前記洗浄槽とを連通し、外気をそのまま又は加熱して前記洗浄槽に供給する主風路と、
帯電微粒子水又は／及びイオンを発生させるイオン発生部と、
前記イオン発生部によって発生する帯電微粒子水又は／及びイオンを前記主風路に供給するバイパス風路と、
を備え、
前記イオン発生部と前記イオン発生部に電圧を印加する基板部とは離間して設けられている、食器洗い機。
【請求項２】
前記イオン発生部は、帯電微粒子水又は／及びイオンを発生させる放電電極及び対向電極と、を有し、
前記放電電極及び対向電極は、前記バイパス風路に設けられており、前記基板部は、前記放電電極及び対向電極から離間して設けられている、請求項１に記載の食器洗い機。
【請求項３】
前記イオン発生部の前記放電電極及び対向電極と前記基板部とは、それぞれ主風路を挟んで両側に配置されている、請求項２に記載の食器洗い機。
【請求項４】
前記イオン発生部の前記放電電極及び対向電極を収納する第１部分と、前記基板部を収納する第２部分と、前記第１部分と前記第２部分とを接続する第３部分と、を有するイオン発生ユニットであって、
前記第１部分と前記第２部分とを前記主風路を挟んで両側に設置することで、前記放電電極及び対向電極を収納する前記第１部分が前記主風路と連通されてバイパス風路を構成するイオン発生ユニットを有する、請求項３に記載の食器洗い機。
【発明の詳細な説明】
【技術分野】
【０００１】
本発明は、イオン発生部を備えた食器洗い機に関する。
【背景技術】
【０００２】
従来の食器洗い機では、食器等の被洗浄物は洗浄槽の内部に収納され、洗浄ノズルから噴射される洗浄水によって洗浄される。また、一般に食器洗い機では乾燥部を備え、洗浄槽内に温風を送り込んで、洗浄後の食器等を乾燥させる。
【０００３】
さらに、イオン粒子を発生させて食器等の被洗浄物及び洗浄槽の除菌や消臭を行う静電霧化装置を備えた食器洗い機が開発されている（例えば、特許文献１参照。）。
【先行技術文献】
【特許文献】
【０００４】
【特許文献１】特開２００８−２３７４８９号公報
【発明の概要】
【発明が解決しようとする課題】
【０００５】
しかし、静電霧化装置で発生させた帯電微粒子水を、洗浄槽内により十分に行き渡らせたい場合も考えられる。
【０００６】
そこで、本発明の目的は、静電霧化装置で発生させた帯電微粒子水を洗浄槽内により十分に行き渡らせることができる食器洗い機を提供することである。
【課題を解決するための手段】
【０００７】
本発明に係る食器洗い機は、被洗浄物を収納する洗浄槽と、
前記被洗浄物を洗浄する洗浄ノズルと、
外気を取り込む吸気口と前記洗浄槽とを連通し、外気をそのまま又は加熱して前記洗浄槽に供給する主風路と、
帯電微粒子水又は／及びイオンを発生させるイオン発生部と、
前記イオン発生部によって発生する帯電微粒子水又は／及びイオンを前記主風路に供給するバイパス風路と、
を備え、
前記イオン発生部と前記イオン発生部に電圧を印加する基板部とは離間して設けられている。
【発明の効果】
【０００８】
本発明に係る食器洗い機によれば、静電霧化装置で発生させた帯電微粒子水を洗浄槽内により十分に行き渡らせることができる。
【図面の簡単な説明】
【０００９】
【図１】実施の形態１に係る食器洗い機の構成を示す概略斜視図である。
【図２】図１の食器洗い機の上方から洗浄槽の下部を見た概略斜視図である。
【図３】実施の形態１に係る食器洗い機におけるイオン導入及び乾燥ユニットを示す概略斜視図である。
【図４】図３のイオン導入及び乾燥ユニットの裏面からみた概略斜視図である。
【図５】静電霧化発生装置の構成を示す概略断面図である。
【図６Ａ】実施の形態２に係る食器洗い機におけるイオン発生ユニットの正面図である。
【図６Ｂ】図６Ａのイオン発生部の裏面図である。
【図７】イオン導入及び乾燥ユニットにイオン発生ユニットを組み込む様子を示す概略斜視図である。
【発明を実施するための形態】
【００１０】
第１の態様に係る食器洗い機は、被洗浄物を収納する洗浄槽と、
前記被洗浄物を洗浄する洗浄ノズルと、
外気を取り込む吸気口と前記洗浄槽とを連通し、外気をそのまま又は加熱して前記洗浄槽に供給する主風路と、
帯電微粒子水又は／及びイオンを発生させるイオン発生部と、
前記イオン発生部によって発生する帯電微粒子水又は／及びイオンを前記主風路に供給するバイパス風路と、
を備え、
前記イオン発生部と前記イオン発生部に電圧を印加する基板部とは離間して設けられている。
【００１１】
上記構成によれば、イオン発生部として機能する静電霧化装置を、主風路ではなく、主風路から分岐したバイパス風路内に備えるので、静電霧化装置で発生させた帯電微粒子水を洗浄槽内に十分に行き渡らせることができる。また、基板部を絶縁された区画に配置できる。
【００１２】
第２の態様に係る食器洗い機は、上記第１の態様において、前記イオン発生部は、帯電微粒子水又は／及びイオンを発生させる放電電極及び対向電極と、を有し、
前記放電電極及び対向電極は、前記バイパス風路に設けられており、前記基板部は、前記放電電極及び対向電極から離間して設けられている。
【００１３】
上記構成によれば、イオン発生部として機能する静電霧化装置を、主風路ではなく、主風路から分岐したバイパス風路内に備えるので、静電霧化装置で発生させた帯電微粒子水を洗浄槽内に十分に行き渡らせることができる。また、基板部を絶縁された区画に配置できる。
【００１４】
第３の態様に係る食器洗い機は、上記第２の態様において、前記イオン発生部の前記放電電極及び対向電極と前記基板部とは、それぞれ主風路を挟んで両側に配置されていてもよい。
【００１５】
上記構成によって、送風ファンを駆動させていない洗浄工程及びすすぎ工程等の際に主風路を逆流してくる湿気から基板部を保護することができる。
【００１６】
第４の態様に係る食器洗い機は、上記第３の態様において、前記イオン発生部の前記放電電極及び対向電極を収納する第１部分と、前記基板部を収納する第２部分と、前記第１部分と前記第２部分とを接続する第３部分と、を有するイオン発生ユニットであって、
前記第１部分と前記第２部分とを前記主風路を挟んで両側に設置することで、前記放電電極及び対向電極を収納する前記第１部分が前記主風路と連通されてバイパス風路を構成するイオン発生ユニットを有してもよい。
【００１７】
上記構成によって、イオン発生ユニットをユニット化しているので、イオン導入及び乾燥ユニットに簡易に組み込むことができる。
【００１８】
以下、実施の形態に係る食器洗い機について、添付図面を参照しながら説明する。なお、図面において実質的に同一の部材については同一の符号を付している。
【００１９】
（実施の形態１）
図１は、実施の形態１に係る食器洗い機１０の構成を示す概略斜視図である。図２は、図１の食器洗い機１０の上方から洗浄槽２の下部を見た概略斜視図である。図３は、実施の形態１に係る食器洗い機１０におけるイオン導入及び乾燥ユニット２０を示す概略斜視図である。図４は、図３のイオン導入及び乾燥ユニット２０の裏面からみた概略斜視図である。なお、図では、便宜上、食器洗い機の前面の左から右にＸ方向、奥行き方向をＹ方向、鉛直上方をＺ方向として示している。また、図１及び図２では、内部構造を示すために前面の扉を省略している。
【００２０】
実施の形態１に係る食器洗い機１０は、食器等の被洗浄物を収納する洗浄槽２と、食器等の被洗浄物を洗浄する洗浄ノズル５ａ、５ｂ、５ｃと、を備える。また、この食器洗い機１０は、イオン発生部として機能する静電霧化装置１８を、主風路１４のバイパス風路１４ａ内に備える。静電霧化装置１８は、マイナスに帯電したナノメータサイズの帯電微粒子水を生成する。生成された帯電微粒子水は、送風装置である送風ファン１２によって、バイパス風路１４ａから主風路１４に合流し、洗浄槽２内に送り込まれる空気と混合される。空気と混合された帯電微粒子水は、洗浄槽２内に供給され、食器等の被洗浄物および洗浄槽２の内面の除菌や脱臭などを行う。
【００２１】
なお、本実施の形態１において、静電霧化装置１８（イオン発生部）と、基板部１９と、乾燥部１６との兼用の送風ファン１２、および主風路１４を含んで、イオン導入及び乾燥ユニット２０が構成される。この構成により、乾燥用の送風ファン１２を兼用して、帯電微粒子水または／およびイオンが洗浄槽２内に供給される。そのため、帯電微粒子水または／およびイオンなどをイオン発生部から洗浄槽２までに供給する、専用の送風装置や風路が不要となる。これにより、安価な食器洗い機を提供できる。
【００２２】
実施の形態１に係る食器洗い機によれば、イオン発生部として機能する静電霧化装置１８を、主風路１４ではなく、主風路から分岐したバイパス風路１４ａ内に備えるので、静電霧化装置で発生させた帯電微粒子水を洗浄槽内に十分に行き渡らせることができる。
【００２３】
以下に、この食器洗い機を構成する各部材について説明する。
【００２４】
＜本体＞
本体１は、洗浄槽２を格納している。この本体１は、例えば、キッチンの調理台の下にビルトイン型で収納されていてもよく、あるいは、独立して調理台の上などに載置できるタイプの食器洗い機の本体を構成してもよい。
【００２５】
＜洗浄槽＞
洗浄槽２は、通常、前面側に開口部を有し、前面側から食器等の被洗浄物を収納する食器トレイ４を配置する。なお、上部に開口部を有し、上部から食器等の被洗浄物を収納する食器トレイを配置する構造であってもよい。
【００２６】
＜扉＞
扉（図示せず）は、洗浄槽２に設けられる開口部について設けられ、開口部が前面側の場合には前面側、開口部が上部の場合には上部に設けられる。また、扉は、１枚又は２枚以上を組み合わせたものであってもよい。扉の開き方は、手前側に向って開き、開放位置で扉が前面下方に位置する場合、又は、開放位置で前方上部に位置する場合であってもよい。あるいは、左又は右に向かって開き、開放位置で扉が左側又は右側に位置する場合であってもよい。２枚以上の扉の場合には、それぞれ対称に開くいわゆる観音開き、又は、同方向に開く場合であってもよい。
【００２７】
＜食器トレイ＞
食器トレイ（図示せず）は、例えば、洗浄槽２の側面に設けられたレール３ａに沿って洗浄槽２の前面側から配置することができる。なお、図１及び図２の例では、上段のレール３ａと下段のレール３ｂとを設けており、上下に食器トレイを配置できる。
【００２８】
＜洗浄ノズル（洗浄手段）＞
洗浄ノズル（洗浄手段）５ａ、５ｂ、５ｃによって、洗浄槽内２で、食器トレイに収納された食器等の被洗浄物に洗浄水を噴射して洗浄する。なお、洗浄ノズル５ａ、５ｂ、５ｃは、適宜配置すればよい。
また、洗浄水を加熱するヒータを設け、洗浄水を温水にしてもよい。
【００２９】
＜イオン導入及び乾燥ユニット＞
イオン導入及び乾燥ユニット２０は、静電霧化装置１８（イオン発生部）と、基板部１９と、乾燥部１６と、イオン発生部１８と乾燥部１６との兼用の送風ファン１２と、主風路１４及びバイパス風路１４ａと、によって構成されている。
【００３０】
＜主風路＞
主風路１４は、外気を取り込む吸気口１１と洗浄槽２への吹き出し口６とを連通している。主風路１４の洗浄槽２内への吹き出し口６は、例えば、図２に示すように洗浄槽２の下部に設けられる。また、吹き出し口６は、洗浄槽２の下部に限られず、側部、前部、上部のいずれか、あるいは、これらの複数箇所に設けてもよい。なお、吸気口１１は、外気を取り込むことができればよく、必ずしも本体１の天面に設けられる必要はない。また、本体１と洗浄槽２との間から空気を取り込むようにしてもよく、この場合には、本体の側面又は底面から吸気してもよい。
【００３１】
＜バイパス風路＞
バイパス風路１４ａは、主風路１４から分岐する風路であり、図３及び図４に示すように、主風路１４から分岐した後、再度、主風路１４に合流する。バイパス風路１４ａは、主風路１４に比べて風路の流れ方向に垂直な断面積を小さく構成されている。これによって、それぞれの風路で同じ流速であるとすれば、バイパス風路１４ａを流れる流量は、主風路１４を流れる流量より少なくなる。なお、バイパス風路１４ａの入口に比べてバイパス風路１４ａ内の断面積を大きくすることで、バイパス風路１４ａ内の流速を入口での流速、つまり、主風路１４内の流速より遅くしてもよい。これによって、帯電微粒子水の発生に必要な結露水が飛ばされにくくなり、バイパス風路１４ａ内での結露水の生成及び帯電微粒子水の発生を適切に制御できる。
また、バイパス風路１４ａから主風路１４への合流部では、バイパス風路１４ａの出口からの流れ方向を主風路１４の流れ方向に合わせるように配置（略下方向）して、主風路１４の流れ方向に沿って合流させる。
【００３２】
＜送風ファン＞
送風ファン１２は、主風路１４の吸気口１１側に設けられる。これによってイオン発生部１８と乾燥部１６との送風を兼用できる。なお、本実施の形態での送風ファン１２は、空気の流れに対して静電霧化装置１８の上流側（正圧）に配置されているが、静電霧化装置１８の下流側（負圧）に配置されて、主風路１４からバイパス風路１４ａに入ってくる空気を送風ファン１２で引き込む構成としてもよい。
【００３３】
＜静電霧化装置（イオン発生部）＞
図５は、イオン発生部として機能する静電霧化装置１８の概略構成図である。この静電霧化装置１８では、図５に示すように、静電霧化装置１８は、まず、ペルティエユニット１８ａなどで構成される冷却部１８ｂにより、空気中の水分を冷却して結露水を生成する。生成された結露水は、放電電極１８ｃに供給される。この場合、放電電極１８ｃを直接冷却し、放電電極１８ｃに直接、空気中の水分を結露させる構成としてもよい。
そして、放電電極１８ｃに結露水が供給された状態で、放電電極１８ｃと対向電極１８ｄとの間に基板部１９から高電圧を印加する。このとき、放電電極１８ｃの先端部分の結露水は、大きなエネルギー（高密度となった電荷の反発力）を受ける。これにより、マイナスに帯電したナノメータサイズの帯電微粒子水又は及びイオンが生成されて、放出される。放出された帯電微粒子水又は及びイオンは、バイパス風路１４ａから主風路１４への合流部を通じて、洗浄槽２の内部に導入される。
【００３４】
＜基板部＞
基板部１９は、イオン発生部１８に電圧を供給する。基板部１９は、例えば、高電圧を発生するトランス等を含む。また、基板部１９は、ペルティエユニット１８ａにも電圧を供給する。基板部１９は、イオン発生部１８を構成する放電電極１８ｃ及び対向電極１８ｄから離間して設けられている。これによって、基板部１９を絶縁された区画に配置できる。また、静電霧化装置１８と基板部１９とは、主風路１４を挟んで左右に分離して配置されている。この場合、静電霧化装置１８の放電電極１８ｃ及び対向電極１８ｄはバイパス風路１４ａに面して設けられているが、基板部１９は、バイパス風路１４ａ及び主風路１４のいずれにも面していない区画に配置している。これによって、送風ファン１２を駆動させていない洗浄工程及びすすぎ工程等の際に主風路１４を逆流してくる湿気から基板部１９を保護することができる。この場合、基板部１９は、食器洗い機１０の前面側ではなく、背面側に配置することがより好ましい。これによって、食器洗い機１０の前面側からの湿気から少しでも遠く基板部１９を配置することができる。
なお、静電霧化発生装置１８は、その周辺の湿気が多すぎても少なすぎても、帯電微粒子水又は及びイオンを発生させる性能を十分に発揮できない。食器の洗浄中や洗浄直後は洗浄槽２内の湿気が多くなり、食器の乾燥中や乾燥直後は洗浄槽２内の湿気が少なくなる。したがって、外気を取り入れつつ静電霧化発生装置１８で帯電微粒子水又は及びイオンを発生させて外気とともに洗浄槽２内に放出するのが、食器洗い機１０における環境下では最適な効果を発揮する。
【００３５】
なお、イオン発生部１８は、帯電微粒子水を発生させる静電霧化装置に限られない。例えば、ペルティエユニットを設けない場合や、一対の電極間で放電状態として正イオン及び負イオンを発生させるイオン発生器であってもよい。
【００３６】
＜乾燥部＞
乾燥部１６は、バイパス風路１４ａが主風路１４に合流した後の主風路１４に設けられる。乾燥部１６には、例えば、ヒータを配置してもよい。乾燥部１６によって、取り込んだ外気を加熱して温風とすることができる。
乾燥工程では、送風ファン１２を駆動して、吸気口１１から外気を取り込む。この際に、例えばフィルタ（図示せず）によって外気から塵埃等を除去してもよい。取り込んだ外気は、主風路１４を介して乾燥部１６で加熱され、温風となり、吹き出し口６から洗浄槽２内に供給される。なお、フィルタをバイパス風路１４ａへ入る外気の流れの上流側の主風路１４に配置すれば、塵埃等を極力除去した空気が静電霧化装置１８に送られるので、静電霧化装置１８が汚れてしまい性能が劣化することを極力防ぐことができる。洗浄槽２に供給された温風によって食器等の被洗浄物及び洗浄槽２を乾燥させる。その後、水分を含んだ空気は排気口７から排出される。乾燥部１６には、除湿部を含んでもよい。また、乾燥工程では、吸気口を外気と洗浄槽２内とのいずれかに切り替えるか、又は、吸気口１１に洗浄槽２内の空気を取り込んで循環させるようにしてもよい。
なお、静電霧化装置１８を動作させている間は、乾燥部１６を動作させないようにしてもよい。
【００３７】
（実施の形態２）
図６Ａは、実施の形態２に係る食器洗い機におけるイオン発生ユニット３０の正面図である。図６Ｂは、図６Ａのイオン発生ユニット３０の裏面図である。図７は、イオン導入及び乾燥ユニット２０にイオン発生ユニット３０を組み込む様子を示す概略斜視図である。
【００３８】
実施の形態２に係る食器洗い機では、実施の形態１に係る食器洗い機と対比すると、静電霧化装置１８を収納する第１部分３２と、基板部１９を収納する第２部分３４と、静電霧化装置１８と基板部１９とを接続する線材（図示せず）等を収容して第１部分３２と第２部分３４とを接続する第３部分３６と、を有するイオン発生ユニット３０を含む点で相違する。このイオン発生ユニット３０では、第１部分３２と第２部分３４とを主風路１４を挟んで両側に設置することで、放電電極１８ｃ及び対向電極１８ｄを収納する第１部分３２が主風路１４と連通されてバイパス風路１４ａを構成する。基板部１９は、バイパス風路１４ａ及び主風路１４のいずれにも面していない区画に配置しているので、送風ファン１２を駆動させていない洗浄工程及びすすぎ工程等の際に主風路１４を逆流してくる湿気から基板部１９を保護することができる。
【００３９】
このイオン発生ユニット３０は、ユニット化しているので、例えば、図７に示すように、イオン導入及び乾燥ユニット２０に簡易に組み込むことができる。これによって、放電電極１８ｃ及び対向電極１８ｄと基板部１９とを、それぞれ主風路１４を挟んで両側に配置することができる。なお、図７では静電霧化装置１８と基板部１９とをイオン導入及び乾燥ユニット２０側に取り付けた状態となっているが、静電霧化装置１８と基板部１９と接続する線材等とを全てイオン発生ユニット３０側にあらかじめ取り付けておけば、イオン導入及び乾燥ユニット２０にイオン発生ユニット３０を取り付けるだけでよいので、組み込みを更に容易にすることができる。
【００４０】
なお、上記実施の形態１及び２に係る食器洗い機によれば、一連の洗浄工程、すすぎ工程、及び、乾燥工程の後、保管時には、静電霧化装置（イオン発生部）１８によって洗浄槽２に帯電微粒子水又は／及びイオンを供給して、脱臭及び除菌を行うことができる（脱臭・除菌工程）。具体的には、送風ファン１２を駆動させて外気を取り込むと共に、静電霧化装置１８によって帯電微粒子水又は／及びイオンを発生させ、バイパス風路１４ａから主風路１４を介して洗浄槽２に供給する。保管時には、この脱臭・除菌工程を繰り返すことで、臭いの発生及び菌の増殖を抑制できる。
また、上記脱臭・除菌工程を洗浄工程に先立って行ってもよい。これによって、洗浄工程の前に臭いの抑制及び除菌を行うことができる。また、本発明に係る構成は、洗浄機能を有さないタイプのいわゆる乾燥部等を備えて空気を送風して食器を乾燥させる方式の食器乾燥機に搭載されてもよい。
【００４１】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００４２】
本発明に係る食器洗い機によれば、イオン発生部として機能する静電霧化装置を、主風路ではなく、主風路から分岐したバイパス風路内に備えるので、静電霧化装置で発生させた帯電微粒子水を洗浄槽内に十分に行き渡らせることができる。
【符号の説明】
【００４３】
１  本体
２  洗浄槽
５ａ、５ｂ、５ｃ  洗浄ノズル（洗浄手段）
６  吹き出し口
７  排気口
１０  食器洗い機
１１  吸気口
１２  送風ファン
１４  主風路
１４ａ  バイパス風路
１６  乾燥部
１８  静電霧化装置（イオン発生部）
１８ａ  ペルティエユニット
１８ｂ  冷却部
１８ｃ  放電電極
１８ｄ  対向電極
１９  基板部
２０  イオン導入及び乾燥ユニット
３０  イオン発生ユニット
３２  第１部分
３４  第２部分
３６  第３部分
【図１】
2020058461.tif 000003
【図２】
2020058461.tif 000004
【図３】
2020058461.tif 000005
【図４】
2020058461.tif 000006
【図５】
2020058461.tif 000007
【図６Ａ】
2020058461.tif 000008
【図６Ｂ】
2020058461.tif 000009
【図７】
2020058461.tif 000010